【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
情報を格納するリムーバブルデータカートリッジであって、該リムーバブルデータカートリッジは、
不揮発性メモリを有するドライブと、
外側ケーシングであって、
中に開口部を有する前側と、
該前側の反対側に位置する後側と、
左側と、
該左側と該前側との間の左縁と、
上側と、
該上側と該前側との間の上縁であって、該上縁は、該左縁よりも長い、上縁と、
底側と、
該前側から該後側に向かって延びているキーイング特徴であって、該キーイング特徴は、ドライブベイ内の固定のアパーチャを通る該リムーバブルデータカートリッジの不適切な挿入を防止する、キーイング特徴と
を含む、外側ケーシングと、
該前側の該開口部において該外側ケーシングの外側からアクセス可能な電気コネクタであって、該電気コネクタは該ドライブと一体化される、電気コネクタと
を備えている、リムーバブルデータカートリッジ。
【請求項２】
前記前側に平行に向けられた断面は、少なくとも５つの縁を有する、請求項１に記載の情報を格納するリムーバブルデータカートリッジ。
【請求項３】
前記キーイング特徴は、斜角を付けられた面を備えている、請求項１に記載の情報を格納するリムーバブルデータカートリッジ。
【請求項４】
前記電気コネクタは、ハードドライブプロトコルと共に使用するためのインタフェースを提供する、請求項１に記載の情報を格納するリムーバブルデータカートリッジ。
【請求項５】
前記ハードドライブプロトコルは、ＳＡＳ、ＰＡＴＡ、ＳＡＴＡ、またはＳＣＳＩに従う、請求項４に記載の情報を格納するリムーバブルデータカートリッジ。
【請求項６】
前記外側ケーシングの内側に据え付けられ、かつ、前記電気コネクタに結合されたソリッドステートメモリデバイスをさらに備えている、請求項１に記載の情報を格納するリムーバブルデータカートリッジ。
【請求項７】
前記上側は、少なくとも７０ｍｍの長さと、少なくとも６０ｍｍの幅とを有し、前記底側は、少なくとも７０ｍｍの長さと、少なくとも６０ｍｍの幅とを有する、請求項１に記載の情報を格納するリムーバブルデータカートリッジ。
【請求項８】
前記上側は、少なくとも１００ｍｍの長さと、少なくとも７０ｍｍの幅とを有し、前記底側は、少なくとも１００ｍｍの長さと、少なくとも７０ｍｍの幅とを有する、請求項１に記載の情報を格納するリムーバブルデータカートリッジ。
【請求項９】
情報を格納するリムーバブルデータカートリッジであって、該リムーバブルデータカートリッジは、
格納のためのドライブと、
外側ケーシングであって、
中に開口部を有する前側と、
該前側の反対側に位置する後側と、
左側と、
該左側と該前側との間の左縁と、
上側と、
該上側と該前側との間の上縁であって、該上縁は、該左縁よりも長い、上縁と、
底側と、
該前側から該後側に向かって延びているキーイング特徴であって、
該キーイング特徴は、ドライブベイ内のアパーチャを通る該リムーバブルデータカートリッジの不適切な挿入を防止し、
該前側に平行に向けられた断面は、該上側から該底側に向かって延びるどの線に対しても対称ではない、キーイング特徴と
を含む、外側ケーシングと、
該前側の該開口部において該外側ケーシングの外側からアクセス可能な電気コネクタであって、該電気コネクタは、該ドライブと一体化される、電気コネクタと
を備えている、リムーバブルデータカートリッジ。
【請求項１０】
前記前側に平行に向けられた断面は、少なくとも５つの縁を有する、請求項９に記載の情報を格納するリムーバブルデータカートリッジ。
【請求項１１】
前記キーイング特徴は、斜角を付けられた面を備えている、請求項９に記載の情報を格納するリムーバブルデータカートリッジ。
【請求項１２】
前記電気コネクタは、ハードドライブプロトコルと共に使用するためのインタフェースを提供する、請求項９に記載の情報を格納するリムーバブルデータカートリッジ。
【請求項１３】
前記ハードドライブプロトコルは、ＳＡＳ、ＰＡＴＡ、ＳＡＴＡ、またはＳＣＳＩである、請求項１２に記載の情報を格納するリムーバブルデータカートリッジ。
【請求項１４】
前記外側ケーシングの内側に据え付けられ、かつ、前記電気コネクタに結合されたソリッドステートメモリデバイスをさらに備えている、請求項９に記載の情報を格納するリムーバブルデータカートリッジ。
【請求項１５】
前記上側は、少なくとも７０ｍｍの長さと、少なくとも６０ｍｍの幅とを有し、前記底側は、少なくとも７０ｍｍの長さと、少なくとも６０ｍｍの幅とを有する、請求項９に記載の情報を格納するリムーバブルデータカートリッジ。
【請求項１６】
前記上側は、少なくとも１００ｍｍの長さと、少なくとも７０ｍｍの幅とを有し、前記底側は、少なくとも１００ｍｍの長さと、少なくとも７０ｍｍの幅とを有する、請求項９に記載の情報を格納するリムーバブルデータカートリッジ。
【請求項１７】
情報を格納するリムーバブルデータカートリッジであって、該リムーバブルデータカートリッジは、
外側ケーシングであって、
中に開口部を有する前側と、
該前側の反対側に位置する後側と、
左側と、
該左側と該前側との間の左縁と、
上側と、
該上側と該前側との間の上縁であって、該上縁は、該左縁よりも長い、上縁と、
底側と、
該前側から該後側に向かって延びているキーイング特徴であって、
該キーイング特徴は、ドライブベイ内のアパーチャを通る該リムーバブルデータカートリッジの不適切な挿入を防止し、
該前側に平行に向けられた断面は、該上側から該底側に向かって延びるどの線に対する鏡像でもない、キーイング特徴と
を含む、外側ケーシングと、
該前側の該開口部において該外側ケーシングの外側からアクセス可能な電気コネクタであって、該電気コネクタは、該ドライブと一体化される、電気コネクタと
を備えている、リムーバブルデータカートリッジ。
【請求項１８】
前記前側に平行に向けられた断面は、少なくとも５つの縁を有する、請求項１７に記載の情報を格納するリムーバブルデータカートリッジ。
【請求項１９】
前記キーイング特徴は、斜角を付けられた面を備えている、請求項１７に記載の情報を格納するリムーバブルデータカートリッジ。
【請求項２０】
前記電気コネクタは、ハードドライブプロトコルと共に使用するためのインタフェースを提供する、請求項１７に記載の情報を格納するリムーバブルデータカートリッジ。
【請求項２１】
前記ハードドライブプロトコルは、ＳＡＳ、ＰＡＴＡ、ＳＡＴＡ、またはＳＣＳＩである、請求項２０に記載の情報を格納するリムーバブルデータカートリッジ。
【請求項２２】
前記ドライブは、ソリッドステートメモリデバイスを備えている、請求項１７に記載の情報を格納するリムーバブルデータカートリッジ。
【請求項２３】
前記上側は、少なくとも７０ｍｍの長さと、少なくとも６０ｍｍの幅とを有し、前記底側は、少なくとも７０ｍｍの長さと、少なくとも６０ｍｍの幅とを有する、請求項１７に記載の情報を格納するリムーバブルデータカートリッジ。
【請求項２４】
前記上側は、少なくとも１００ｍｍの長さと、少なくとも７０ｍｍの幅とを有し、前記底側は、少なくとも１００ｍｍの長さと、少なくとも７０ｍｍの幅とを有する、請求項１７に記載の情報を格納するリムーバブルデータカートリッジ。